(57)【要約】  本発明の実施例は、無線通信技術分野に関し、特にＣＳＩ‐ＲＳ伝送方法、機器及びシステムに関するものであり、ＣＳＩ‐ＲＳ配置可能なリソースが比較的に少ないという従来技術に存在する問題を解決する。本発明の実施例のネットワーク側機器は、特殊サブフレームのＣＳＩ‐ＲＳパイロットリソースマッピングパターンから、１種のＣＳＩ‐ＲＳパイロットリソース配置に対応するリソースユニットＲＥを選択してＣＳＩ‐ＲＳをキャリアするＲＥとし、確定したＲＥで前記ＣＳＩ‐ＲＳを送信する。【選択図】  図１２
2017526290.tif 000002
【特許請求の範囲】
【請求項１】
ネットワーク側機器が、特殊サブフレームでユーザ機器にＣＳＩ‐ＲＳを送信することを確定することと、
前記ネットワーク側機器が、ＣＳＩ‐ＲＳをキャリアするＲＥとして、特殊サブフレーム中のＣＳＩ‐ＲＳパイロットリソースマッピングパターンから、１種のＣＳＩ‐ＲＳパイロットリソース配置に対応するリソースユニットＲＥを選択することと、
前記ネットワーク側機器が、確定したＲＥで前記ＣＳＩ‐ＲＳを送信することと
を含むことを特徴とするＣＳＩ‐ＲＳ伝送方法。
【請求項２】
前記特殊サブフレーム中のＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことを特徴とする請求項１に記載のＣＳＩ‐ＲＳ伝送方法。
【請求項３】
前記３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンは、３ＧＰＰ  ＴＳ  ３６．２１１  リリース１１に規定されるＣＳＩ‐ＲＳパイロットリソースマッピングパターンであって、一部シンボル対に対応するパターンを含むことを特徴とする請求項２に記載のＣＳＩ‐ＲＳ伝送方法。
【請求項４】
前記一部シンボル対は、
ノーマルＣＰであり、且つ特殊サブフレーム配置１、２、６、７のうちの１つが採用される場合、第６のシンボルと第７のシンボルからなるシンボル対であり、
ノーマルＣＰであり、且つ特殊サブフレーム配置３、４、８のうちの１つが採用される場合、第６のシンボルと第７のシンボルからなるシンボル対、及び、第１０のシンボルと第１１のシンボルからなるシンボル対であり、
拡張ＣＰであり、且つ特殊サブフレーム配置１、２、３、５、６のうちの１つが採用される場合、第５のシンボルと第６のシンボルからなるシンボル対であることを特徴とする請求項３に記載のＣＳＩ‐ＲＳ伝送方法。
【請求項５】
前記特殊サブフレーム中のＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含み、
前記特定シンボルは、ＰＤＣＣＨ、ＰＳＳ及びＣＲＳが占用するシンボル以外の他シンボルであり、
下りユーザ専用パイロットは、３ＧＰＰ  ＴＳ  ３６．２１１  リリース１１に規定される下りユーザ専用パイロットであることを特徴とする請求項１に記載のＣＳＩ‐ＲＳ伝送方法。
【請求項６】
前記特定シンボルは、
ノーマルＣＰであり、且つ特殊サブフレーム配置１、２、６、７のうちの１つが採用される場合、特殊サブフレーム中の第５のシンボルと第６のシンボルであり、
ノーマルＣＰであり、且つ特殊サブフレーム配置２、７のうちの１つが採用される場合、特殊サブフレーム中の２対のシンボルであり、２対のシンボルは、第４のシンボルと第６のシンボル、及び、第７のシンボルと第１０のシンボルであり、
ノーマルＣＰであり、且つ特殊サブフレーム配置３、４、８のうちの１つが採用される場合、特殊サブフレーム中の２対のシンボルであり、２対のシンボルは、第６のシンボルと第７のシンボル、及び、第１０のシンボルと第１１のシンボルであり、
ノーマルＣＰであり、且つ特殊サブフレーム配置９が採用される場合、特殊サブフレーム中の１対のシンボルであり、１対のシンボルは、第４のシンボルと第６のシンボルであることを特徴とする請求項５に記載のＣＳＩ‐ＲＳ伝送方法。
【請求項７】
前記ネットワーク側機器は、特殊サブフレーム中のＣＳＩ‐ＲＳパイロットリソースマッピングパターンから１種のＣＳＩ‐ＲＳパイロットリソース配置を選択した後に、特殊サブフレームでＣＳＩ‐ＲＳパイロットリソースの配置情報を伝送することを前記ユーザ機器に通知することを更に含むことを特徴とする請求項１〜６のいずれか一項に記載のＣＳＩ‐ＲＳ伝送方法。
【請求項８】
ユーザ機器が、ネットワーク側機器から特殊サブフレームで伝送するＣＳＩ‐ＲＳのパイロットリソース配置情報を受信することと、
前記ユーザ機器が、前記受信したＣＳＩ‐ＲＳのパイロットリソース配置情報から確定したＲＥリソースでＣＳＩ‐ＲＳを受信することとを含むことを特徴とするＣＳＩ‐ＲＳ伝送方法。
【請求項９】
前記ＣＳＩ‐ＲＳのパイロットリソース配置は、特殊サブフレームのＣＳＩ‐ＲＳパイロットリソースマッピングパターンから選択したリソース配置であることを特徴とする請求項８に記載のＣＳＩ‐ＲＳ伝送方法。
【請求項１０】
前記特殊サブフレーム中のＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことを特徴とする請求項９に記載のＣＳＩ‐ＲＳ伝送方法。
【請求項１１】
前記３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンは、３ＧＰＰ  ＴＳ  ３６．２１１  リリース１１に規定されるＣＳＩ‐ＲＳパイロットリソースマッピングパターンであって、一部シンボル対に対応するパターンを含むことを特徴とする請求項１０に記載のＣＳＩ‐ＲＳ伝送方法。
【請求項１２】
前記一部シンボル対は、
ノーマルＣＰであり、且つ特殊サブフレーム配置１、２、６、７のうちの１つが採用される場合、第６のシンボルと第７のシンボルからなるシンボル対であり、
ノーマルＣＰであり、且つ特殊サブフレーム配置３、４、８のうちの１つが採用される場合、第６のシンボルと第７のシンボルからなるシンボル対、及び、第１０のシンボルと第１１のシンボルからなるシンボル対であり、
拡張ＣＰであり、且つ特殊サブフレーム配置１、２、３、５、６のうちの１つが採用される場合、第５のシンボルと第６のシンボルからなるシンボル対であることを特徴とする請求項１１に記載のＣＳＩ‐ＲＳ伝送方法。
【請求項１３】
前記特殊サブフレーム中のＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含み、
前記特定シンボルは、ＰＤＣＣＨ、ＰＳＳ及びＣＲＳが占用するシンボル以外の他シンボルであり、
下りユーザ専用パイロットは、３ＧＰＰ  ＴＳ  ３６．２１１  リリース１１に規定される下りユーザ専用パイロットであることを特徴とする請求項９に記載のＣＳＩ‐ＲＳ伝送方法。
【請求項１４】
前記特定シンボルは、
ノーマルＣＰであり、且つ特殊サブフレーム配置１、２、６、７のうちの１つが採用される場合、特殊サブフレーム中の第５のシンボルと第６のシンボルであり、
ノーマルＣＰであり、且つ特殊サブフレーム配置２、７のうちの１つが採用される場合、特殊サブフレーム中の２対のシンボルであり、２対のシンボルは、第４のシンボルと第６のシンボル、及び、第７のシンボルと第１０のシンボルであり、
ノーマルＣＰであり、且つ特殊サブフレーム配置３、４、８のうちの１つが採用される場合、特殊サブフレーム中の２対のシンボルであり、２対のシンボルは、第６のシンボルと第７のシンボル、及び、第１０のシンボルと第１１のシンボルであり、
ノーマルＣＰであり、且つ特殊サブフレーム配置９が採用される場合、特殊サブフレーム中の１対のシンボルであり、１対のシンボルは、第４のシンボルと第６のシンボルであることを特徴とする請求項１３に記載のＣＳＩ‐ＲＳ伝送方法。
【請求項１５】
特殊サブフレームでユーザ機器にＣＳＩ‐ＲＳを送信することを確定する確定モジュールと、
ＣＳＩ‐ＲＳをキャリアするＲＥとして、特殊サブフレーム中のＣＳＩ‐ＲＳパイロットリソースマッピングパターンから、１種のＣＳＩ‐ＲＳパイロットリソース配置に対応するリソースユニットＲＥを選択する選択モジュールと、
確定したＲＥで前記ＣＳＩ‐ＲＳを送信する送信モジュールと
を含むことを特徴とするＣＳＩ‐ＲＳ伝送用のネットワーク側機器。
【請求項１６】
前記特殊サブフレーム中のＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことを特徴とする請求項１５に記載のＣＳＩ‐ＲＳ伝送用のネットワーク側機器。
【請求項１７】
前記３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンは、３ＧＰＰ  ＴＳ  ３６．２１１  リリース１１に規定されるＣＳＩ‐ＲＳパイロットリソースマッピングパターンであって、一部シンボル対に対応するパターンを含むことを特徴とする請求項１６に記載のＣＳＩ‐ＲＳ伝送用のネットワーク側機器。
【請求項１８】
前記一部シンボル対は、
ノーマルＣＰであり、且つ特殊サブフレーム配置１、２、６、７のうちの１つが採用される場合、第６のシンボルと第７のシンボルからなるシンボル対であり、
ノーマルＣＰであり、且つ特殊サブフレーム配置３、４、８のうちの１つが採用される場合、第６のシンボルと第７のシンボルからなるシンボル対、及び、第１０のシンボルと第１１のシンボルからなるシンボル対であり、
拡張ＣＰであり、且つ特殊サブフレーム配置１、２、３、５、６のうちの１つが採用される場合、第５のシンボルと第６のシンボルからなるシンボル対であることを特徴とする請求項１７に記載のＣＳＩ‐ＲＳ伝送用のネットワーク側機器。
【請求項１９】
前記特殊サブフレーム中のＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含み、
前記特定シンボルは、ＰＤＣＣＨ、ＰＳＳ及びＣＲＳが占用するシンボル以外の他シンボルであり、
下りユーザ専用パイロットは、３ＧＰＰ  ＴＳ  ３６．２１１  リリース１１に規定される下りユーザ専用パイロットであることを特徴とする請求項１５に記載のＣＳＩ‐ＲＳ伝送用のネットワーク側機器。
【請求項２０】
前記特定シンボルは、
ノーマルＣＰであり、且つ特殊サブフレーム配置１、２、６、７のうちの１つが採用される場合、特殊サブフレーム中の第５のシンボルと第６のシンボルであり、
ノーマルＣＰであり、且つ特殊サブフレーム配置２、７のうちの１つが採用される場合、特殊サブフレーム中の２対のシンボルであり、２対のシンボルは、第４のシンボルと第６のシンボル、及び、第７のシンボルと第１０のシンボルであり、
ノーマルＣＰであり、且つ特殊サブフレーム配置３、４、８のうちの１つが採用される場合、特殊サブフレーム中の２対のシンボルであり、２対のシンボルは、第６のシンボルと第７のシンボル、及び、第１０のシンボルと第１１のシンボルであり、
ノーマルＣＰであり、且つ特殊サブフレーム配置９が採用される場合、特殊サブフレーム中の１対のシンボルであり、１対のシンボルは、第４のシンボルと第６のシンボルであることを特徴とする請求項１９に記載のＣＳＩ‐ＲＳ伝送用のネットワーク側機器。
【請求項２１】
前記送信モジュールは、更に、特殊サブフレームでＣＳＩ‐ＲＳのパイロットリソース配置情報を伝送することを前記ユーザ機器に通知することを特徴とする請求項１５〜２０のいずれか一項に記載のＣＳＩ‐ＲＳ伝送用のネットワーク側機器。
【請求項２２】
ネットワーク側機器から特殊サブフレームで伝送するＣＳＩ‐ＲＳのパイロットリソース配置情報を受信する受信モジュールと、
前記受信したＣＳＩ‐ＲＳのパイロットリソース配置情報から確定したＲＥリソースでＣＳＩ‐ＲＳを受信する処理モジュールと
を含むことを特徴とするＣＳＩ‐ＲＳ伝送用のユーザ機器。
【請求項２３】
前記ＣＳＩ‐ＲＳのパイロットリソース配置は、特殊サブフレームのＣＳＩ‐ＲＳパイロットリソースマッピングパターンから選択したリソース配置であることを特徴とする請求項２２に記載のＣＳＩ‐ＲＳ伝送用のユーザ機器。
【請求項２４】
前記特殊サブフレーム中のＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことを特徴とする請求項２３に記載のＣＳＩ‐ＲＳ伝送用のユーザ機器。
【請求項２５】
前記３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンは、３ＧＰＰ  ＴＳ  ３６．２１１  リリース１１に規定されるＣＳＩ‐ＲＳパイロットリソースマッピングパターンであって、一部シンボル対に対応するパターンを含むことを特徴とする請求項２４に記載のＣＳＩ‐ＲＳ伝送用のユーザ機器。
【請求項２６】
前記一部シンボル対は、
ノーマルＣＰであり、且つ特殊サブフレーム配置１、２、６、７のうちの１つが採用される場合、第６のシンボルと第７のシンボルからなるシンボル対であり、
ノーマルＣＰであり、且つ特殊サブフレーム配置３、４、８のうちの１つが採用される場合、第６のシンボルと第７のシンボルからなるシンボル対、及び、第１０のシンボルと第１１のシンボルからなるシンボル対であり、
拡張ＣＰであり、且つ特殊サブフレーム配置１、２、３、５、６のうちの１つが採用される場合、第５のシンボルと第６のシンボルからなるシンボル対であることを特徴とする請求項２５に記載のＣＳＩ‐ＲＳ伝送用のユーザ機器。
【請求項２７】
前記特殊サブフレーム中のＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含み、
前記特定シンボルは、ＰＤＣＣＨ、ＰＳＳ及びＣＲＳが占用するシンボル以外の他シンボルであり、
下りユーザ専用パイロットは、３ＧＰＰ  ＴＳ  ３６．２１１  リリース１１に規定される下りユーザ専用パイロットであることを特徴とする請求項２３に記載のＣＳＩ‐ＲＳ伝送用のユーザ機器。
【請求項２８】
前記特定シンボルは、
ノーマルＣＰであり、且つ特殊サブフレーム配置１、２、６、７のうちの１つが採用される場合、特殊サブフレーム中の第５のシンボルと第６のシンボルであり、
ノーマルＣＰであり、且つ特殊サブフレーム配置２、７のうちの１つが採用される場合、特殊サブフレーム中の２対のシンボルであり、２対のシンボルは、第４のシンボルと第６のシンボル、及び、第７のシンボルと第１０のシンボルであり、
ノーマルＣＰであり、且つ特殊サブフレーム配置３、４、８のうちの１つが採用される場合、特殊サブフレーム中の２対のシンボルであり、２対のシンボルは、第６のシンボルと第７のシンボル、及び、第１０のシンボルと第１１のシンボルであり、
ノーマルＣＰであり、且つ特殊サブフレーム配置９が採用される場合、特殊サブフレーム中の１対のシンボルであり、１対のシンボルは、第４のシンボルと第６のシンボルであることを特徴とする請求項２７に記載のＣＳＩ‐ＲＳ伝送用のユーザ機器。
【請求項２９】
特殊サブフレームでユーザ機器にＣＳＩ‐ＲＳを送信することを確定する確定モジュールと、
ＣＳＩ‐ＲＳをキャリアするＲＥとして、特殊サブフレーム中のＣＳＩ‐ＲＳパイロットリソースマッピングパターンから、１種のＣＳＩ‐ＲＳパイロットリソース配置に対応するリソースユニットＲＥを選択する選択モジュールと、
確定したＲＥで前記ＣＳＩ‐ＲＳを送信する送信モジュールと
を含むネットワーク側機器と、
ネットワーク側機器から特殊サブフレームで伝送するＣＳＩ‐ＲＳのパイロットリソース配置情報を受信する受信モジュールと、
前記受信したＣＳＩ‐ＲＳのパイロットリソース配置情報から確定したＲＥリソースでＣＳＩ‐ＲＳを受信する処理モジュールと
を含むユーザ機器と
を含むことを特徴とするＣＳＩ‐ＲＳ伝送システム。
【発明の詳細な説明】
【技術分野】
【０００１】
本願は、２０１４年８月２１日に中国特許庁に提出された中国特許出願２０１４１０４１６１１２．５の優先権を主張し、その全ての内容が援用により本願に取り込まれる。
【０００２】
本発明は、無線通信技術分野に関し、特にチャネル状態情報基準信号ＣＳＩ‐ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）伝送方法、機器及びシステムに関する。
【背景技術】
【０００３】
技術の発展及びデータサービスの爆発的な増加に伴い、ますます多くのピコセル（Ｐｉｃｏ  Ｃｅｌｌ）、ホーム基地局（Ｈｏｍｅ  ＮｏｄｅＢ）などの低電力基地局は、局部での小範囲カバレッジを提供するように配置され、これらの基地局がまとめてスモールセル（ｓｍａｌｌ  ｃｅｌｌ）と称される。スモールセルの配置により、マクロセル（Ｍａｃｒｏ  Ｃｅｌｌ）によるカバレッジの拡張を可能にするだけではなく、特定エリア内のスループットの向上も可能にする。通常、ネットワークに配置されたスモールセルが多ければ多いほど、より多くのユーザ機器がスモールセルによるサービスを受け、スモールセルによる性能ゲインを受けることになり、ネットワーク全体のスループットが大幅に向上する。実際のネットワークにおいて、サービスのリクエストが集中する地理的エリアでスモールセルを大量に密集して配置することが予測される。
【０００４】
スモールセルの実際の配置シナリオでは、複数のスモールセルが独立なセルＩＤを用いてもよく、近隣の複数の伝送ポイント（ＴＰ）が同一セルＩＤを共有してもよい。単一スモールセル／ＴＰからサービスを受けるユーザ機器ＵＥの数が少ないため、各時間帯で単一スモールセル／ＴＰのサービス負荷の変動が大きい。省エネルギー及び他スモールセルへの干渉軽減のため、ｓｍａｌｌ  ｃｅｌｌ  ｏｎ／ｏｆｆ技術により、実際のサービス状況に応じてスモールセル／ＴＰをオンまたはオフにすることが考えられる。例えば、スモールセル／ＴＰにサービス伝送がなければ、スモールセル／ＴＰをオフにし、逆の場合にオンにする。オフになったスモールセル／ＴＰに対するＵＥの発見を可能にするために、スモールセル／ＴＰから発見信号を周期的に発信する必要がある。現在、３ＧＰＰでは既に結論に達しており、発見信号にはプライマリ同期信号ＰＳＳ（Ｐｒｉｍａｒｙ  Ｓｙｎｃｈｒｏｎｉｚｅｄ  Ｓｉｇｎａｌ）／セカンダリ同期信号ＳＳＳ（Ｓｅｃｏｎｄａｒｙ  Ｓｙｎｃｈｒｏｎｉｚａｔｉｏｎ  Ｓｉｇｎａｌ）／セル固有基準信号ＣＲＳ（Ｃｅｌｌ‐ｓｐｅｃｉｆｉｃ  Ｒｅｆｅｒｅｎｃｅ  ｓｉｇｎａｌｓ）が含まれ、スモールセル／ＴＰ識別用のＣＳＩ‐ＲＳを追加して配置してもよく、ＵＥが測定ギャップＧＡＰ中で発見信号を測定できるように、発見信号の長さが５ｍｓ以下に限定される。
【０００５】
サービス発展の需要により、スモールセルは、密集して配置されるか、超密集して配置される。ＵＥによる大量のスモールセル／ＴＰの識別を可能にするために、スモールセル／ＴＰの間のＣＳＩ‐ＲＳ同士干渉を減少させるように、少なくとも近隣のスモールセル／ＴＰに独立なＣＳＩ‐ＲＳリソースを配置する必要がある。従って、１つの発見信号バースト（ｂｕｒｓｔ）中に充分なＣＳＩ‐ＲＳ配置リソースをリザーブする必要がある。しかし、ＴＤＤ（Ｔｉｍｅ  ｄｉｖｉｓｉｏｎ  ｄｕｐｌｅｘ）‐ＬＴＥ（Ｌｏｎｇ  Ｔｅｒｍ  Ｅｖｏｌｕｔｉｏｎ）について言えば、例えば上り下り配置０などのいくつかの上り下り配置の場合、最多５ｍｓの発見信号伝送時間内でＣＳＩ‐ＲＳ伝送の配置ができるのは、サブフレーム０又はサブフレーム５しかない。しかし、サブフレーム０又はサブフレーム５は、ＰＳＳ／ＳＳＳ／物理放送チャネルＰＢＣＨ（Ｐｈｙｓｉｃａｌ  Ｂｒｏａｄｃａｓｔ  Ｃｈａｎｎｅｌ）などの信号（チャネル）に衝突するシンボルでＣＳＩ‐ＲＳの伝送ができないので、ＣＳＩ‐ＲＳ伝送のリソース配置が限制される。例えば、サブフレーム５の場合、最多１６種類のシングルアンテナポートのＣＳＩ‐ＲＳリソースを配置できるが、サブフレーム０の場合、４種類のシングルアンテナポートＣＳＩ‐ＲＳリソースしか配置できない。
【０００６】
以上の記載をまとめると、ＴＤＤについて言えば、発見信号バースト中、ＣＳＩ‐ＲＳ配置可能なリソースが比較的に少ない。
【発明の概要】
【発明が解決しようとする課題】
【０００７】
本発明は、ＣＳＩ‐ＲＳ伝送方法、機器及びシステムを提供し、ＴＤＤにおける発見信号バースト中、ＣＳＩ‐ＲＳ配置可能なリソースが比較的に少ないという従来技術に存在する問題を解決する。
【課題を解決するための手段】
【０００８】
本発明の実施例は、チャネル状態情報基準信号ＣＳＩ‐ＲＳの伝送方法を提供する。当該方法において、ネットワーク側機器が、特殊サブフレームでユーザ機器にＣＳＩ‐ＲＳを送信することを確定することと、前記ネットワーク側機器が、ＣＳＩ‐ＲＳをキャリアするＲＥとして、特殊サブフレーム中のＣＳＩ‐ＲＳパイロットリソースマッピングパターンから、１種のＣＳＩ‐ＲＳパイロットリソース配置に対応するリソースユニットＲＥを選択することと、前記ネットワーク側機器が、確定したＲＥで前記ＣＳＩ‐ＲＳを送信することとを含む。
【０００９】
本発明の実施例は、特殊サブフレームでＣＳＩ‐ＲＳを伝送するため、特殊サブフレームにチャネルＣＳＩ‐ＲＳパイロットパターンを増加することにより、ＴＤＤの発見信号バースト中、発見信号であるＣＳＩ‐ＲＳの配置数を増加し、更にシステム性能を向上させることができる。
【００１０】
前記特殊サブフレーム中のＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部のパイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことが望ましい。
【００１１】
前記３ＧＰＰ  ＴＳ  ３６．２１１  リリース１１に規定されるＣＳＩ‐ＲＳパイロットリソースマッピングパターンであって特殊サブフレームで伝送可能な一部のパイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含むことが望ましい。
【００１２】
前記一部シンボル対は、具体的には、以下の通りである。ノーマルＣＰであり且つ特殊サブフレーム配置１、２、６、７のうちの１つが採用される場合、前記一部シンボル対は、第６のシンボルと第７のシンボルからなるシンボル対である。ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。拡張ＣＰであり且つ特殊サブフレーム配置１、２、３、５、６のうちの１つが採用される場合、前記一部シンボル対は、第５のシンボルと第６のシンボルからなるシンボル対であることが望ましい。
【００１３】
前記特殊サブフレーム中のＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットであることが望ましい。
【００１４】
ノーマルＣＰであり且つ特殊サブフレーム配置１、２、６、７のうちの１つが採用される場合、前記特定シンボルは、特殊サブフレーム中の第５のシンボルと第６のシンボルである。ノーマルＣＰであり且つ特殊サブフレーム配置２、７のうちの１つが採用される場合、前記特定シンボルは、特殊サブフレーム中の２対のシンボルである。２対のシンボルは、第４のシンボルと第６のシンボル、及び、第７のシンボルと第１０のシンボルである。ノーマルＣＰであり且つ特殊サブフレーム配置３、４、８のうちの１つが採用される場合、前記特定シンボルは、特殊サブフレーム中の２対のシンボルである。２対のシンボルは、第６のシンボルと第７のシンボル、及び、第１０のシンボルと第１１のシンボルである。ノーマルＣＰであり且つ特殊サブフレーム配置９が採用される場合、前記特定シンボルは、特殊サブフレーム中の１対のシンボルである。１対のシンボルは、第４のシンボルと第６のシンボルであることが望ましい。
【００１５】
当該方法において、前記ネットワーク側機器は、特殊サブフレーム中のＣＳＩ‐ＲＳパイロットリソースマッピングパターンから１種のＣＳＩ‐ＲＳパイロットリソース配置を選択した後に、特殊サブフレームでＣＳＩ‐ＲＳパイロットリソースの配置情報を伝送することを前記ユーザ機器に通知することを更に含むことが望ましい。
【００１６】
本発明の実施例は、チャネル状態情報基準信号ＣＳＩ‐ＲＳの伝送方法を提供する。当該方法において、ユーザ機器が、ネットワーク側機器から特殊サブフレームで伝送するＣＳＩ‐ＲＳのパイロットリソース配置情報を受信することと、前記ユーザ機器が、前記受信したＣＳＩ‐ＲＳのパイロットリソース配置情報から確定したＲＥリソースでＣＳＩ‐ＲＳを受信することとを含む。
【００１７】
本発明の実施例は、特殊サブフレームでＣＳＩ‐ＲＳを伝送するため、特殊サブフレームにチャネルＣＳＩ‐ＲＳパイロットパターンを増加することにより、ＴＤＤの発見信号バースト中、発見信号であるＣＳＩ‐ＲＳの配置数を増やし、更にシステム性能を向上させることができる。
【００１８】
前記ＣＳＩ‐ＲＳのパイロットリソース配置は、特殊サブフレームのＣＳＩ‐ＲＳパイロットリソースマッピングパターンから選択したリソース配置であることが望ましい。
【００１９】
前記特殊サブフレーム中のＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部のパイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことが望ましい。
【００２０】
前記３ＧＰＰ  ＴＳ  ３６．２１１  リリース１１に規定されるＣＳＩ‐ＲＳパイロットリソースマッピングパターンであって特殊サブフレームで伝送可能な一部のパイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含むことが望ましい。
【００２１】
前記一部シンボル対は、具体的には、以下の通りである。ノーマルＣＰであり且つ特殊サブフレーム配置１、２、６、７のうちの１つが採用される場合、前記一部シンボル対は、第６のシンボルと第７のシンボルからなるシンボル対である。ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。拡張ＣＰであり且つ特殊サブフレーム配置１、２、３、５、６のうちの１つが採用される場合、前記一部シンボル対は、第５のシンボルと第６のシンボルからなるシンボル対であることが望ましい。
【００２２】
前記特殊サブフレーム中のＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットであることが望ましい。
【００２３】
ノーマルＣＰであり且つ特殊サブフレーム配置１、２、６、７のうちの１つが採用される場合、前記特定シンボルは、特殊サブフレーム中の第５のシンボルと第６のシンボルである。ノーマルＣＰであり且つ特殊サブフレーム配置２、７のうちの１つが採用される場合、前記特定シンボルは、特殊サブフレーム中の２対のシンボルである。２対のシンボルは、第４のシンボルと第６のシンボル、及び、第７のシンボルと第１０のシンボルである。ノーマルＣＰであり且つ特殊サブフレーム配置３、４、８のうちの１つが採用される場合、前記特定シンボルは、特殊サブフレーム中の２対のシンボルである。２対のシンボルは、第６のシンボルと第７のシンボル、及び、第１０のシンボルと第１１のシンボルである。ノーマルＣＰであり且つ特殊サブフレーム配置９が採用される場合、前記特定シンボルは、特殊サブフレーム中の１対のシンボルである。１対のシンボルは、第４のシンボルと第６のシンボルであることが望ましい。
【００２４】
本発明の実施例は、チャネル状態情報基準信号ＣＳＩ‐ＲＳを伝送するネットワーク側機器を提供する。当該ネットワーク側機器は、特殊サブフレームでユーザ機器にＣＳＩ‐ＲＳを送信することを確定する確定モジュールと、ＣＳＩ‐ＲＳをキャリアするＲＥとして、特殊サブフレーム中のＣＳＩ‐ＲＳパイロットリソースマッピングパターンから、１種のＣＳＩ‐ＲＳパイロットリソース配置に対応するリソースユニットＲＥを選択する選択モジュールと、確定したＲＥで前記ＣＳＩ‐ＲＳを送信する送信モジュールとを含む。
【００２５】
本発明の実施例は、特殊サブフレームでＣＳＩ‐ＲＳを伝送するため、特殊サブフレームにチャネルＣＳＩ‐ＲＳパイロットパターンを増加することにより、ＴＤＤの発見信号バースト中、発見信号であるＣＳＩ‐ＲＳの配置数を増加し、更にシステム性能を向上させることができる。
【００２６】
前記特殊サブフレーム中のＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部のパイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことが望ましい。
【００２７】
前記３ＧＰＰ  ＴＳ  ３６．２１１  リリース１１に規定されるＣＳＩ‐ＲＳパイロットリソースマッピングパターンであって特殊サブフレームで伝送可能な一部のパイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含むことが望ましい。
【００２８】
前記一部シンボル対は、具体的には、以下の通りである。ノーマルＣＰであり且つ特殊サブフレーム配置１、２、６、７のうちの１つが採用される場合、前記一部シンボル対は、第６のシンボルと第７のシンボルからなるシンボル対である。ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。拡張ＣＰであり且つ特殊サブフレーム配置１、２、３、５、６のうちの１つが採用される場合、前記一部シンボル対は、第５のシンボルと第６のシンボルからなるシンボル対であることが望ましい。
【００２９】
また、前記特殊サブフレーム中のＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットであることが望ましい。
【００３０】
ノーマルＣＰであり且つ特殊サブフレーム配置１、２、６、７のうちの１つが採用される場合、前記特定シンボルは、特殊サブフレーム中の第５のシンボルと第６のシンボルである。ノーマルＣＰであり且つ特殊サブフレーム配置２、７のうちの１つが採用される場合、前記特定シンボルは、特殊サブフレーム中の２対のシンボルである。２対のシンボルは、第４のシンボルと第６のシンボル、及び、第７のシンボルと第１０のシンボルである。ノーマルＣＰであり且つ特殊サブフレーム配置３、４、８のうちの１つが採用される場合、前記特定シンボルは、特殊サブフレーム中の２対のシンボルである。２対のシンボルは、第６のシンボルと第７のシンボル、及び、第１０のシンボルと第１１のシンボルである。ノーマルＣＰであり且つ特殊サブフレーム配置９が採用される場合、前記特定シンボルは、特殊サブフレーム中の１対のシンボルである。１対のシンボルは、第４のシンボルと第６のシンボルであることが望ましい。
【００３１】
前記送信モジュールは、更に、特殊サブフレームでＣＳＩ‐ＲＳパイロットリソースの配置情報を伝送することを前記ユーザ機器に通知することが望ましい。
【００３２】
本発明の実施例は、チャネル状態情報基準信号ＣＳＩ‐ＲＳを伝送するユーザ機器を提供する。当該ユーザ機器は、ネットワーク側機器から特殊サブフレームで伝送するＣＳＩ‐ＲＳのパイロットリソース配置情報を受信する受信モジュールと、前記受信したＣＳＩ‐ＲＳのパイロットリソース配置情報から確定したＲＥリソースでＣＳＩ‐ＲＳを受信する処理モジュールとを含む。
【００３３】
本発明の実施例は、特殊サブフレームでＣＳＩ‐ＲＳを伝送するため、特殊サブフレームにチャネルＣＳＩ‐ＲＳパイロットパターンを増加することにより、ＴＤＤの発見信号バースト中、発見信号であるＣＳＩ‐ＲＳの配置数を増やし、更にシステム性能を向上させることができる。
【００３４】
前記ＣＳＩ‐ＲＳのパイロットリソース配置は、特殊サブフレームのＣＳＩ‐ＲＳパイロットリソースマッピングパターンから選択したリソース配置であることが望ましい。
【００３５】
前記特殊サブフレーム中のＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部のパイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことが望ましい。
【００３６】
前記３ＧＰＰ  ＴＳ  ３６．２１１  リリース１１に規定されるＣＳＩ‐ＲＳパイロットリソースマッピングパターンであって特殊サブフレームで伝送可能な一部のパイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含むことが望ましい。
【００３７】
前記一部シンボル対は、具体的には、以下の通りである。ノーマルＣＰであり且つ特殊サブフレーム配置１、２、６、７のうちの１つが採用される場合、前記一部シンボル対は、第６のシンボルと第７のシンボルからなるシンボル対である。ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。拡張ＣＰであり且つ特殊サブフレーム配置１、２、３、５、６のうちの１つが採用される場合、前記一部シンボル対は、第５のシンボルと第６のシンボルからなるシンボル対であることが望ましい。
【００３８】
前記特殊サブフレーム中のＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットであることが望ましい。
【００３９】
ノーマルＣＰであり且つ特殊サブフレーム配置１、２、６、７のうちの１つが採用される場合、前記特定シンボルは、特殊サブフレーム中の第５のシンボルと第６のシンボルである。ノーマルＣＰであり且つ特殊サブフレーム配置２、７のうちの１つが採用される場合、前記特定シンボルは、特殊サブフレーム中の２対のシンボルである。２対のシンボルは、第４のシンボルと第６のシンボル、及び、第７のシンボルと第１０のシンボルである。ノーマルＣＰであり且つ特殊サブフレーム配置３、４、８のうちの１つが採用される場合、前記特定シンボルは、特殊サブフレーム中の２対のシンボルである。２対のシンボルは、第６のシンボルと第７のシンボル、及び、第１０のシンボルと第１１のシンボルである。ノーマルＣＰであり且つ特殊サブフレーム配置９が採用される場合、前記特定シンボルは、特殊サブフレーム中の１対のシンボルである。１対のシンボルは、第４のシンボルと第６のシンボルであることが望ましい。
【００４０】
本発明の実施例は、ネットワーク側機器とユーザ機器とを含み、チャネル状態情報基準信号ＣＳＩ‐ＲＳを伝送するシステムを提供する。前記ネットワーク側機器は、特殊サブフレームでユーザ機器にＣＳＩ‐ＲＳを送信することを確定する確定モジュールと、ＣＳＩ‐ＲＳをキャリアするＲＥとして、特殊サブフレーム中のＣＳＩ‐ＲＳパイロットリソースマッピングパターンから、１種のＣＳＩ‐ＲＳパイロットリソース配置に対応するリソースユニットＲＥを選択する選択モジュールと、確定したＲＥで前記ＣＳＩ‐ＲＳを送信する送信モジュールとを含む。前記ユーザ機器は、ネットワーク側機器から特殊サブフレームで伝送するＣＳＩ‐ＲＳのパイロットリソース配置情報を受信する受信モジュールと、前記受信したＣＳＩ‐ＲＳのパイロットリソース配置情報から確定したＲＥリソースでＣＳＩ‐ＲＳを受信する処理モジュールとを含む。
【００４１】
本発明の実施例のネットワーク側機器は、ＣＳＩ‐ＲＳをキャリアするＲＥとし、特殊サブフレーム中のＣＳＩ‐ＲＳパイロットリソースマッピングパターンから、１種のＣＳＩ‐ＲＳパイロットリソース配置に対応するリソースユニットＲＥを選択して、確定したＲＥで前記ＣＳＩ‐ＲＳを送信する。本発明の実施例は、特殊サブフレームでＣＳＩ‐ＲＳを伝送するため、特殊サブフレームにチャネルＣＳＩ‐ＲＳパイロットパターンを増加することにより、ＴＤＤの発見信号バースト中、発見信号であるＣＳＩ‐ＲＳの配置数を増やし、更にシステム性能を向上させることができる。
【発明の効果】
【００４２】
本発明のＣＳＩ‐ＲＳ伝送方法、機器及びシステムを提供することにより、ＴＤＤにおける発見信号バースト中、ＣＳＩ‐ＲＳ配置可能なリソースが比較的に少ないという従来技術に存在する問題を解決することができる。
【図面の簡単な説明】
【００４３】
【図１】本発明の実施例１におけるＣＳＩ‐ＲＳを伝送するシステムの構造模式図である。
【図２】本発明の実施例２における特殊サブフレーム配置１、２、６、７のＣＳＩ‐ＲＳパイロットパターンの模式図である。
【図３】本発明の実施例３における特殊サブフレーム配置３、４、８のＣＳＩ‐ＲＳパイロットパターンの模式図である。
【図４】本発明の実施例４における特殊サブフレーム配置１、２、６、７のＣＳＩ‐ＲＳパイロットパターンの模式図である。
【図５】本発明の実施例５における特殊サブフレーム配置２、７のＣＳＩ‐ＲＳパイロットパターンの模式図である。
【図６】本発明の実施例６における特殊サブフレーム配置３、４、８のＣＳＩ‐ＲＳパイロットパターンの模式図である。
【図７】本発明の実施例７における特殊サブフレーム配置９のＣＳＩ‐ＲＳパイロットパターンの模式図である。
【図８】本発明の実施例８におけるＣＳＩ‐ＲＳを伝送するシステムにおけるネットワーク側機器の構造模式図である。
【図９】本発明の実施例９におけるＣＳＩ‐ＲＳを伝送するシステムにおけるユーザ機器の構造模式図である。
【図１０】本発明の実施例１０におけるＣＳＩ‐ＲＳを伝送するシステムにおけるネットワーク側機器の構造模式図である。
【図１１】本発明の実施例１１におけるＣＳＩ‐ＲＳを伝送するシステムにおけるユーザ機器の構造模式図である。
【図１２】本発明の実施例１２におけるＣＳＩ‐ＲＳを伝送する方法のフローチャートである。
【図１３】本発明の実施例１３におけるＣＳＩ‐ＲＳを伝送する方法のフローチャートである。
【発明を実施するための形態】
【００４４】
本発明の実施例のネットワーク側機器は、特殊サブフレームのＣＳＩ‐ＲＳパイロットリソースマッピングパターンから、１種のＣＳＩ‐ＲＳパイロットリソース配置に対応するリソースユニットＲＥを選択してＣＳＩ‐ＲＳをキャリアするＲＥとし、確定したＲＥで前記ＣＳＩ‐ＲＳを送信する。本発明の実施例は、特殊サブフレームでＣＳＩ‐ＲＳを伝送するため、特殊サブフレームにチャネルＣＳＩ‐ＲＳパイロットパターンを増加することにより、ＴＤＤの発見信号バースト中、発見信号であるＣＳＩ‐ＲＳの配置数を増加し、更にシステム性能を向上させることができる。
【００４５】
以下、明細書の図面を参照して本発明の実施例を更に詳細に説明する。
【００４６】
図１に示すように、本発明の実施例のＣＳＩ‐ＲＳ伝送システムは、ネットワーク側機器１０とユーザ機器１１とを含む。ネットワーク側機器１０は、特殊サブフレームでユーザ機器にＣＳＩ‐ＲＳを送信することを確定し、ＣＳＩ‐ＲＳをキャリアするＲＥとして、特殊サブフレーム中のＣＳＩ‐ＲＳパイロットリソースマッピングパターンから、１種のＣＳＩ‐ＲＳパイロットリソース配置に対応するリソースユニットＲＥを選択し、確定したＲＥで前記ＣＳＩ‐ＲＳを送信する。ユーザ機器１１は、ネットワーク側機器から特殊サブフレームで伝送するＣＳＩ‐ＲＳのパイロットリソース配置情報を受信し、前記受信したＣＳＩ‐ＲＳのパイロットリソース配置情報から確定したＲＥリソースでＣＳＩ‐ＲＳを受信する。
【００４７】
本発明の実施例の前記ＣＳＩ‐ＲＳは、スモールセル又はＴＰの発見信号や、測定して送信する信号が含まれることが望ましいが、それらに限定されない。
【００４８】
実施の際に、ネットワーク側機器は、ＣＳＩ‐ＲＳの具体的配置に基づいて、特殊サブフレームでユーザ機器にＣＳＩ‐ＲＳを送信するか否かを確定する。ネットワーク側機器は、他の下りサブフレームのＣＳＩ‐ＲＳ配置が不足である場合に、特殊サブフレームでユーザ機器にＣＳＩ‐ＲＳを送信することを確定してもよい。
【００４９】
ネットワーク側機器は、特殊サブフレームでＣＳＩ‐ＲＳをキャリアするＲＥを確定した後に、それを、例えばＲＲＣシグナリング通知により前記ユーザ機器に通知する。
対応して、ユーザ機器は、通知の受信後に、特殊サブフレームでＣＳＩ‐ＲＳをユーザ機器に送信することを確定し、前記受信したＣＳＩ‐ＲＳのパイロットリソース配置情報からＲＥリソースを確定する。
【００５０】
ここで、前記ＣＳＩ‐ＲＳのパイロットリソース配置は、特殊サブフレームのＣＳＩ‐ＲＳパイロットリソースマッピングパターンから選択したリソース配置である。
【００５１】
ネットワーク側機器は、ＣＳＩ‐ＲＳパイロットリソース配置を選択する際に、必要に応じて選択してもよく、ランダムに選択してもよい。
【００５２】
実施の際に、ネットワーク側機器１０が特殊サブフレームでＣＳＩ‐ＲＳをキャリアするＲＥを確定する方式は、複数あるが、以下いくつかを列挙する。
【００５３】
＜方式１＞
既存のＣＳＩ‐ＲＳパイロットリソースマッピングパターンを用いるが、下りユーザ専用パイロットが占用するＲＥリソースを除外する必要がある。
【００５４】
具体的には、前記特殊サブフレームのＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンに含まれる全てのＲＥのうち、下りユーザ専用パイロットをキャリアするＲＥ以外の他ＲＥの一部又は全てから構成されるＣＳＩ‐ＲＳパイロットリソースマッピングパターンを含む。ここで、下りユーザ専用パイロットは、３ＧＰＰ  ＴＳ  ３６．２１１  リリース１１に規定される下りユーザ専用パイロットである。
【００５５】
実施の際に、前記３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含む。
【００５６】
実施の際に、特殊サブフレームの配置は、具体的に表１を参照する。
【００５７】
【表１】
2017526290.tif 000003
【００５８】
特殊サブフレーム配置によっては、前記一部シンボル対が異なるものである。以下いくつかを列挙する。
１）ノーマルＣＰ（サイクリックプレフィックス）であり且つ特殊サブフレーム配置１、２、６、７のうちの１つが採用される場合、前記一部シンボル対は、第６のシンボルと第７のシンボルからなるシンボル対である。
２）ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。
３）拡張ＣＰであり且つ特殊サブフレーム配置１、２、３、５、６のうちの１つが採用される場合、前記一部シンボル対は、第５のシンボルと第６のシンボルからなるシンボル対である。
【００５９】
なお、上記例におけるＲＥ対は、例示に過ぎず、本発明の実施例では上記例におけるＲＥ対に限定せず、他のＲＥ対も同様に本発明の実施例に適用できる。
【００６０】
＜方式２＞
特殊サブフレームのうち、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＳＳ及びＣＲＳが占用するシンボルを除いた他シンボルでＣＳＩ‐ＲＳ伝送用のシンボル対を選択し、シンボル対でユーザ専用パイロットが占用するＲＥリソースを除外する。
【００６１】
具体的には、前記特殊サブフレームのＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットである。
【００６２】
特殊サブフレーム配置によって、前記特定シンボルは異なるものである。以下いくつかを列挙する。
１）ノーマルＣＰであり且つ特殊サブフレーム配置１、２、６、７のうちの１つが採用される場合、前記特定シンボルは、特殊サブフレームの第５のシンボルと第６のシンボルである。
２）ノーマルＣＰであり且つ特殊サブフレーム配置２、７のうちの１つが採用される場合、前記特定シンボルは、特殊サブフレームの２対のシンボルである。２対のシンボルは、第４のシンボルと第６のシンボル、及び、第７のシンボルと第１０のシンボルである。
３）ノーマルＣＰであり且つ特殊サブフレーム配置３、４、８のうちの１つが採用される場合、前記特定シンボルは、特殊サブフレームの２対のシンボルである。２対のシンボルは、第６のシンボルと第７のシンボル、及び、第１０のシンボルと第１１のシンボルである。
４）ノーマルＣＰであり且つ特殊サブフレーム配置９が採用される場合、前記特定シンボルは、特殊サブフレームの１対のシンボルである。１対のシンボルは、第４のシンボルと第６のシンボルである。
【００６３】
なお、上記例におけるＲＥ対は、例示に過ぎず、本発明の実施例では上記例におけるＲＥ対に限定せず、他のＲＥ対も同様に本発明の実施例に適用する。
【００６４】
本発明の実施例では、１つのサブフレーム又は特殊サブフレームについて、左から１つ目のシンボルを第１のシンボルと表記し、左から２つ目のシンボルを第２のシンボルと表記し、これに準じて類推する。
【００６５】
以下、既存のＣＳＩ‐ＲＳパイロットリソースマッピングパターンを用いるが、下りユーザ専用パイロットが占用するＲＥリソースを除外する方式について、いくつかの例を列挙する。
【００６６】
＜例１＞
ノーマルＣＰであり且つ特殊サブフレーム配置１、２、６、７が採用される場合、特殊サブフレームの第６のシンボルと第７のシンボルが、３ＧＰＰ  ＴＳ  ３６．２１１  リリース１１に規定されるＣＳＩ‐ＲＳパイロットリソースマッピングパターンに従って占用するＲＥのうち、下りユーザ専用パイロットが占用するＲＥ以外の他ＲＥでＣＳＩ‐ＲＳを伝送する。占用するリソースのパターンは、図２に示される。
例えば、１つのアンテナポート又は２つのアンテナポートでＣＳＩ‐ＲＳ伝送を行う場合、４種類のＣＳＩ‐ＲＳ配置がサポートされ、それぞれ１、２、３、４と記される４つのＲＥ対にマッピングされる。即ち、図示の１と１、２と２、３と３、４と４により、４つのＲＥ対を構成する。
４つのアンテナポートでＣＳＩ‐ＲＳ伝送を行う場合、｛１、３｝又は｛２、４｝と記されるリソース対にマッピングされ、２種類の４アンテナポート配置を構成する。
８つのアンテナポートでＣＳＩ‐ＲＳ伝送を行う場合、｛１、２、３、４｝と記されるリソースにマッピングされ、８アンテナポートのＣＳＩ‐ＲＳリソース配置を構成する。
【００６７】
＜例２＞
ノーマルＣＰであり且つ特殊サブフレーム配置３、４、８が採用される場合、特殊サブフレームの第６のシンボルと第７のシンボル、及び、第１０のシンボルと第１１のシンボルが、３ＧＰＰ  ＴＳ  ３６．２１１  リリース１１に規定されるＣＳＩ‐ＲＳパイロットリソースマッピングパターンに従って占用するＲＥのうち、下りユーザ専用パイロットが占用するＲＥ以外の他ＲＥでＣＳＩ‐ＲＳを伝送する。占用するリソースのパターンは、図３に示される。
例えば、１つのアンテナポート又は２つのアンテナポートでＣＳＩ‐ＲＳ伝送を行う場合、１０種類のＣＳＩ‐ＲＳ配置がサポートされ、それぞれ１〜１０と記されるＲＥ対にマッピングされる。
４つのアンテナポートでＣＳＩ‐ＲＳ伝送を行う場合、それぞれ｛１、３｝、｛２、４｝、｛５、９｝、｛６、１０｝と記されるリソース対にマッピングされ、４種類の４アンテナポート配置を構成する。
８つのアンテナポートでＣＳＩ‐ＲＳ伝送を行う場合、それぞれ｛１、２、３、４｝、｛５、６、９、１０｝と記されるリソースにマッピングされ、２種類の８アンテナポートのＣＳＩ‐ＲＳリソース配置を構成する。
また、拡張ＣＰの場合に、特殊サブフレーム配置１、２、３、５、６について、ＰＳＳ／ＰＤＣＣＨ／ＣＲＳなどの信号を除き、第５、６、９の３つのシンボルのみが残る。従って、拡張ＣＰの場合に、特殊サブフレームで、３ＧＰＰ  ＴＳ  ３６．２１１  リリース１１に規定されるＣＳＩ‐ＲＳパイロットの拡張ＣＰ時のパイロットパターンを用いればよく、且つ３ＧＰＰ  ＴＳ  ３６．２１１  リリース１１に規定されるＣＳＩ‐ＲＳパイロットパターンが、特殊サブフレームで下りユーザ専用パイロット信号が占用するＲＥとは衝突しない。
【００６８】
なお、上記例において、対を成すＲＥ又は１つのグループの中のＲＥは、例示に過ぎず、本発明の実施例では、上記例の中のＲＥの組み合わせに限定せず、他のＲＥ対又はＲＥグループも同様に本発明の実施例に適用する。
【００６９】
以下、特殊サブフレームのうち、ＰＤＣＣＨ、ＰＳＳ及びＣＲＳが占用するシンボルを除いた他シンボルでＣＳＩ‐ＲＳ伝送用のシンボル対を選択し、シンボル対でユーザ専用パイロットが占用するＲＥリソースを除外する方式について、いくつかの例を列挙する。
【００７０】
＜例３＞
ノーマルＣＰであり且つ特殊サブフレーム配置１、２、６、７が採用される場合、特殊サブフレームのシンボル５、６で、下りユーザ専用パイロットをキャリアするＲＥ以外の他ＲＥでＣＳＩ‐ＲＳを伝送する。占用するリソースパターンは、図４に示される。
例えば、１つのアンテナポート又は２つのアンテナポートでＣＳＩ‐ＲＳ伝送を行う場合、６種類のＣＳＩ‐ＲＳ配置がサポートされ、それぞれ１〜６と記されるＲＥ対にマッピングされる。
４つのアンテナポートでＣＳＩ‐ＲＳ伝送を行う場合、それぞれ｛１、５｝、｛２、６｝と記されるリソース対にマッピングされ、２種類の４アンテナポート配置を構成する。
８つのアンテナポートでＣＳＩ‐ＲＳ伝送を行う場合、｛１、２、５、６｝と記されるリソースにマッピングされ、１種類の８アンテナポートのＣＳＩ‐ＲＳリソース配置を構成する。
【００７１】
＜例４＞
ノーマルＣＰであり且つ特殊サブフレーム配置２、７が採用される場合、第４、６のシンボルと、第７、１０のシンボルからなる２組の非連続的シンボル対で、下りユーザ専用パイロットをキャリアするＲＥ以外の他ＲＥでＣＳＩ‐ＲＳを伝送する。占用するリソースパターンは、図５に示される。
例えば、１つのアンテナポート又は２つのアンテナポートでＣＳＩ‐ＲＳ伝送を行う場合、１２種類のＣＳＩ‐ＲＳ配置がサポートされ、それぞれ１〜１２と記されるＲＥ対にマッピングされる。
４つのアンテナポートでＣＳＩ‐ＲＳ伝送を行う場合、それぞれ｛１、５｝、｛２、６｝、｛７、１１｝、｛８、１２｝と記されるリソース対にマッピングされ、４種類の４アンテナポート配置を構成する。
８つのアンテナポートでＣＳＩ‐ＲＳ伝送を行う場合、それぞれ｛１、２、５、６｝、｛７、８、１１、１２｝と記されるリソースにマッピングされ、２種類の８アンテナポートのＣＳＩ‐ＲＳリソース配置を構成する。
【００７２】
＜例５＞
ノーマルＣＰであり且つ特殊サブフレーム配置３、４、８が採用される場合、特殊サブフレームの第６、７のシンボル及び第１０、１１のシンボルで、下りユーザ専用パイロットをキャリアするＲＥ以外の他ＲＥでＣＳＩ‐ＲＳを伝送する。占用するリソースパターンは、図６に示される。
具体的には、例えば、１つのアンテナポート又は２つのアンテナポートでＣＳＩ‐ＲＳ伝送を行う場合、１８種類のＣＳＩ‐ＲＳ配置がサポートされ、それぞれ１〜１８と記されるＲＥ対にマッピングされる。
４つのアンテナポートでＣＳＩ‐ＲＳ伝送を行う場合、それぞれ｛１、７｝、｛２、８｝、｛３、９｝、｛４、１０｝、｛５、１１｝、｛６、１２｝、｛１３、１７｝、｛１４、１８｝と記されるリソース対にマッピングされ、８種類の４アンテナポート配置を構成する。
８つのアンテナポートでＣＳＩ‐ＲＳ伝送を行う場合、それぞれ｛１、２、７、８｝、｛３、４、９、１０｝、｛５、６、１１、１２｝、｛１３、１４、１７、１８｝と記されるリソースにマッピングされ、４種類の８アンテナポートのＣＳＩ‐ＲＳリソース配置を構成する。
【００７３】
＜例６＞
ノーマルＣＰであり且つ特殊サブフレーム配置９が採用される場合、第４、６のシンボルの２つの非連続的シンボルからなるシンボル対で、下りユーザ専用パイロットをキャリアするＲＥ以外の他ＲＥでＣＳＩ‐ＲＳを伝送する。占用するリソースパターンは、図７に示される。
例えば、１つのアンテナポート又は２つのアンテナポートでＣＳＩ‐ＲＳ伝送を行う場合、６種類のＣＳＩ‐ＲＳ配置がサポートされ、それぞれ１〜６と記されるＲＥ対にマッピングされる。
４つのアンテナポートでＣＳＩ‐ＲＳ伝送を行う場合、それぞれ｛１、５｝、｛２、６｝と記されるリソース対にマッピングされ、２種類の４アンテナポート配置を構成する。
８つのアンテナポートでＣＳＩ‐ＲＳ伝送を行う場合、｛１、２、５、６｝と記されるリソースにマッピングされ、１種類の８アンテナポートのＣＳＩ‐ＲＳリソース配置を構成する。
【００７４】
なお、上記例において、対を成すＲＥ又は１つのグループの中のＲＥは、例示に過ぎず、本発明の実施例では、上記例の中のＲＥの組み合わせに限定せず、他のＲＥ対又はＲＥグループも同様に本発明の実施例に適用する。
【００７５】
図８に示すように、本発明の実施例８のＣＳＩ‐ＲＳ伝送システムのネットワーク側機器は、確定モジュール８００と、選択モジュール８１０と、送信モジュール８２０とを含む。確定モジュール８００は、特殊サブフレームでユーザ機器にＣＳＩ‐ＲＳを送信することを確定する。選択モジュール８１０は、ＣＳＩ‐ＲＳをキャリアするＲＥとして、特殊サブフレームのＣＳＩ‐ＲＳパイロットリソースマッピングパターンから、１つのＣＳＩ‐ＲＳパイロットリソース配置に対応するリソースユニットＲＥを選択する。送信モジュール８２０は、確定したＲＥで前記ＣＳＩ‐ＲＳを送信する。
【００７６】
また、前記特殊サブフレームのＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳパイロットリソースマッピングパターンを含むことが望ましい。
【００７７】
前記３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含むことが望ましい。
【００７８】
前記一部シンボル対は、具体的には、以下の通りである。ノーマルＣＰであり且つ特殊サブフレーム配置１、２、６、７のうちの１つが採用される場合、前記一部シンボル対は、第６のシンボルと第７のシンボルからなるシンボル対ある。ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。拡張ＣＰであり且つ特殊サブフレーム配置１、２、３、５、６のうちの１つが採用される場合、前記一部シンボル対は、第５のシンボルと第６のシンボルからなるシンボル対であることが望ましい。
【００７９】
前記特殊サブフレームのＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットであることが望ましい。
【００８０】
ノーマルＣＰであり且つ特殊サブフレーム配置１、２、６、７のうちの１つが採用される場合、前記特定シンボルは、特殊サブフレームの第５のシンボルと第６のシンボルである。ノーマルＣＰであり且つ特殊サブフレーム配置２、７のうちの１つが採用される場合、前記特定シンボルは、特殊サブフレームの２対のシンボルである。２対のシンボルは、第４のシンボルと第６のシンボル、及び、第７のシンボルと第１０のシンボルである。ノーマルＣＰであり且つ特殊サブフレーム配置３、４、８のうちの１つが採用される場合、前記特定シンボルは、特殊サブフレームの２対のシンボルである。２対のシンボルは、第６のシンボルと第７のシンボル、及び、第１０のシンボルと第１１のシンボルである。ノーマルＣＰであり且つ特殊サブフレーム配置９が採用される場合、前記特定シンボルは、特殊サブフレームの１対のシンボルである。１対のシンボルは、第４のシンボルと第６のシンボルであることが望ましい。
【００８１】
前記送信モジュール８２０は、更に、特殊サブフレームでＣＳＩ‐ＲＳのパイロットリソース配置情報を伝送することを前記ユーザ機器に通知することが望ましい。
【００８２】
図９に示すように、本発明の実施例９のＣＳＩ‐ＲＳ伝送システムにおけるユーザ機器は、受信モジュール９００と処理モジュール９１０とを含む。受信モジュール９００は、ネットワーク側機器から特殊サブフレームで伝送するＣＳＩ‐ＲＳのパイロットリソース配置情報を受信する。処理モジュール９１０は、前記受信したＣＳＩ‐ＲＳのパイロットリソース配置情報から確定したＲＥリソースでＣＳＩ‐ＲＳを受信する。
【００８３】
前記ＣＳＩ‐ＲＳのパイロットリソース配置は、特殊サブフレームのＣＳＩ‐ＲＳパイロットリソースマッピングパターンから選択したリソース配置であることが望ましい。
【００８４】
前記特殊サブフレームのＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことが望ましい。
【００８５】
前記３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含むことが望ましい。
【００８６】
前記一部シンボル対は、具体的には、以下の通りである。ノーマルＣＰであり且つ特殊サブフレーム配置１、２、６、７のうちの１つが採用される場合、前記一部シンボル対は、第６のシンボルと第７のシンボルからなるシンボル対である。ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。拡張ＣＰであり且つ特殊サブフレーム配置１、２、３、５、６のうちの１つが採用される場合、前記一部シンボル対は、第５のシンボルと第６のシンボルからなるシンボル対であることが望ましい。
【００８７】
前記特殊サブフレームのＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットであることが望ましい。
【００８８】
ノーマルＣＰであり且つ特殊サブフレーム配置１、２、６、７のうちの１つが採用される場合、前記特定シンボルは、特殊サブフレームの第５のシンボルと第６のシンボルである。ノーマルＣＰであり且つ特殊サブフレーム配置２、７のうちの１つが採用される場合、前記特定シンボルは、特殊サブフレームの２対のシンボルである。２対のシンボルは、第４のシンボルと第６のシンボル、及び、第７のシンボルと第１０のシンボルである。ノーマルＣＰであり且つ特殊サブフレーム配置３、４、８のうちの１つが採用される場合、前記特定シンボルは、特殊サブフレームの２対のシンボルである。２対のシンボルは、第６のシンボルと第７のシンボル、及び、第１０のシンボルと第１１のシンボルである。ノーマルＣＰであり且つ特殊サブフレーム配置９が採用される場合、前記特定シンボルは、特殊サブフレームの１対のシンボルである。１対のシンボルは、第４のシンボルと第６のシンボルであることが望ましい。
【００８９】
図１０に示すように、本発明の実施例１０のＣＳＩ‐ＲＳ伝送システムにおけるネットワーク側機器は、プロセッサ１００１と、プロセッサ１００１の制御下でデータを送受信するトランシーバ１００２とを含む。プロセッサ１００１は、メモリ１００４の中のプログラムを読み取り、以下の過程、即ち、特殊サブフレームでユーザ機器にＣＳＩ‐ＲＳを送信することを確定することと、ＣＳＩ‐ＲＳをキャリアするＲＥとして、特殊サブフレームのＣＳＩ‐ＲＳパイロットリソースマッピングパターンから、１種のＣＳＩ‐ＲＳパイロットリソース配置に対応するリソースユニットＲＥを選択することと、確定したＲＥで前記ＣＳＩ‐ＲＳを送信するようトランシーバ１００２を制御することを実行する。
【００９０】
前記特殊サブフレームのＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳパイロットリソースマッピングパターンを含むことが望ましい。
【００９１】
前記３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含むことが望ましい。
【００９２】
前記一部シンボル対は、具体的には、以下の通りである。ノーマルＣＰであり且つ特殊サブフレーム配置１、２、６、７のうちの１つが採用される場合、前記一部シンボル対は、第６のシンボルと第７のシンボルからなるシンボル対である。ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。拡張ＣＰであり且つ特殊サブフレーム配置１、２、３、５、６のうちの１つが採用される場合、前記一部シンボル対は、第５のシンボルと第６のシンボルからなるシンボル対であることが望ましい。
【００９３】
前記特殊サブフレームのＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットであることが望ましい。
【００９４】
ノーマルＣＰであり且つ特殊サブフレーム配置１、２、６、７のうちの１つが採用される場合、前記特定シンボルは、特殊サブフレームの第５のシンボルと第６のシンボルである。ノーマルＣＰであり且つ特殊サブフレーム配置２、７のうちの１つが採用される場合、前記特定シンボルは、特殊サブフレームの２対のシンボルである。２対のシンボルは、第４のシンボルと第６のシンボル、及び、第７のシンボルと第１０のシンボルである。ノーマルＣＰであり且つ特殊サブフレーム配置３、４、８のうちの１つが採用される場合、前記特定シンボルは、特殊サブフレームの２対のシンボルである。２対のシンボルは、第６のシンボルと第７のシンボル、及び、第１０のシンボルと第１１のシンボルである。ノーマルＣＰであり且つ特殊サブフレーム配置９が採用される場合、前記特定シンボルは、特殊サブフレームの１対のシンボルである。１対のシンボルは、第４のシンボルと第６のシンボルであることが望ましい。
【００９５】
前記プロセッサ１００１は、更に、特殊サブフレームでＣＳＩ‐ＲＳのパイロットリソース配置情報を伝送することを前記ユーザ機器に通知することが望ましい。
【００９６】
図１０において、バスアーキテクチャ（バス１０００と示す）は、任意数の相互接続するバスとブリッジを含み、プロセッサ１００１をはじめとする１つ又は複数のプロセッサとメモリ１００４に代表されるメモリの各種類の回路を接続したものである。バス１０００は、周辺機器、レギュレーター、電力管理回路などの各種類のほかの回路を接続したものであってもよい。これらは、いずれも本分野の公知事項であり、明細書本文においてさらなる説明をしない。バスインタフェース１００３により、バス１０００とトランシーバ１００２の間でインタフェースを提供する。トランシーバ１００２は、単一部品であるか、例えば複数の受信機と送信機の複数部品であり、伝送媒体でほかの各種類の装置と通信するユニットとして提供される。プロセッサ１００１による処理後のデータは、アンテナ１００５を介して無線媒体で伝送される。更に、アンテナ１００５は、データを受信してプロセッサ１００１に伝送する。
【００９７】
プロセッサ１００１は、バス１０００と通常の処理を管理し、更に計時、周辺インタフェース、電圧調節、電源管理及びその他の制御機能の様々な機能を提供する。メモリ１００４は、プロセッサ１００１による操作実行時に使用されるデータを記憶する。
【００９８】
プロセッサ１００１は、中央処理機ＣＰＵ、特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイＦＰＧＡ（Ｆｉｅｌｄ−ＰｒｏｇＲａｍｍａｂｌｅ  Ｇａｔｅ  Ａｒｒａｙ）又はプログラム可能な複合論理デバイスＣＰＬＤ（Ｃｏｍｐｌｅｘ  ＰｒｏｇＲａｍｍａｂｌｅ  Ｌｏｇｉｃ  Ｄｅｖｉｃｅ）であることが望ましい。
【００９９】
図１１に示すように、本発明の実施例１１のＣＳＩ‐ＲＳ伝送システムにおけるユーザ機器は、プロセッサ１１０１と、プロセッサ１００１の制御下でデータを送受信するトランシーバ１１０２とを含む。プロセッサ１１０１は、メモリ１１０４の中のプログラムを読み取り、以下の過程、即ち、ネットワーク側機器から特殊サブフレームで伝送するＣＳＩ‐ＲＳのパイロットリソース配置情報をトランシーバ１１０２で受信することと、前記受信したＣＳＩ‐ＲＳのパイロットリソース配置情報から確定したＲＥリソースでＣＳＩ‐ＲＳを受信することを実行する。
【０１００】
前記ＣＳＩ‐ＲＳのパイロットリソース配置は、特殊サブフレームのＣＳＩ‐ＲＳパイロットリソースマッピングパターンから選択したリソース配置であることが望ましい。
【０１０１】
前記特殊サブフレームのＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことが望ましい。
【０１０２】
前記３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含むことが望ましい。
【０１０３】
前記一部シンボル対は、具体的には、以下の通りである。ノーマルＣＰであり且つ特殊サブフレーム配置１、２、６、７のうちの１つが採用される場合、前記一部シンボル対は、第６のシンボルと第７のシンボルからなるシンボル対である。ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。拡張ＣＰであり且つ特殊サブフレーム配置１、２、３、５、６のうちの１つが採用される場合、前記一部シンボル対は、第５のシンボルと第６のシンボルからなるシンボル対であることが望ましい。
【０１０４】
前記特殊サブフレームのＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットであることが望ましい。
【０１０５】
ノーマルＣＰであり且つ特殊サブフレーム配置１、２、６、７のうちの１つが採用される場合、前記特定シンボルは、特殊サブフレームの第５のシンボルと第６のシンボルである。ノーマルＣＰであり且つ特殊サブフレーム配置２、７のうちの１つが採用される場合、前記特定シンボルは、特殊サブフレームの２対のシンボルである。２対のシンボルは、第４のシンボルと第６のシンボル、及び、第７のシンボルと第１０のシンボルである。ノーマルＣＰであり且つ特殊サブフレーム配置３、４、８のうちの１つが採用される場合、前記特定シンボルは、特殊サブフレームの２対のシンボルである。２対のシンボルは、第６のシンボルと第７のシンボル、及び、第１０のシンボルと第１１のシンボルである。ノーマルＣＰであり且つ特殊サブフレーム配置９が採用される場合、前記特定シンボルは、特殊サブフレームの１対のシンボルである。１対のシンボルは、第４のシンボルと第６のシンボルであることが望ましい。
【０１０６】
図１１において、バスアーキテクチャ（バス１１００と示す）は、任意数の相互接続するバスとブリッジを含み、汎用プロセッサ１１００をはじめとする１つ又は複数のプロセッサとメモリ１１０４に代表されるメモリの各種類の回路を接続したものである。バス１１００は、周辺機器、レギュレーター、電力管理回路などの各種類のほかの回路を接続したものであってもよい。これらは、いずれも本分野の公知事項であり、明細書本文においてさらなる説明をしない。バスインタフェース１１０３により、バス１１００とトランシーバ１１０２の間でインタフェースを提供する。トランシーバ１１０２は、単一部品であるか、例えば複数の受信機と送信機の複数部品であり、伝送媒体でほかの各種類の装置と通信するユニットとして提供される。例えば、トランシーバ１１０２は、他の機器から外部データを受信する。トランシーバ１１０２は、プロセッサ１１０１による処理後のデータを他機器に送信する。計算システムの性質により、キーパッド、ディスプレイ、スピーカ、マイクロフォン、ジョイスティックなどユーザインタフェース１１０５も提供してもよい。
プロセッサ１１０１は、バス１１００と通常の処理を管理し、前述のように汎用オペレーティングシステムを運行させる。メモリ１１０４は、プロセッサ１１０１による操作実行時に使用されるデータを記憶する。
【０１０７】
プロセッサ１１０１は、ＣＰＵ、ＡＳＩＣ、ＦＰＧＡ又はＣＰＬＤであることが望ましい。
【０１０８】
同一の発明思想に基づき、本発明の実施例は、ＣＳＩ‐ＲＳ伝送方法も提供する。当該方法は、対応する機器が本発明の実施例のＣＳＩ‐ＲＳ伝送システムにおけるネットワーク側機器であり、当該方法により問題を解決する原理が当該機器と類似する。従って、当該方法の実施は、システムの実施が参照され、ここで重複して説明しない。
【０１０９】
図１２に示すように、本発明の実施例１２のＣＳＩ‐ＲＳ伝送方法は、ネットワーク側機器が、特殊サブフレームでユーザ機器にＣＳＩ‐ＲＳを送信することを確定するステップ１２０１と、前記ネットワーク側機器が、ＣＳＩ‐ＲＳをキャリアするＲＥとして、特殊サブフレームのＣＳＩ‐ＲＳパイロットリソースマッピングパターンから、１種のＣＳＩ‐ＲＳパイロットリソース配置に対応するリソースユニットＲＥを選択するステップ１２０２と、前記ネットワーク側機器が、確定したＲＥで前記ＣＳＩ‐ＲＳを送信するステップ１２０３を含む。
【０１１０】
前記特殊サブフレームのＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことが望ましい。
【０１１１】
前記３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含むことが望ましい。
【０１１２】
前記一部シンボル対は、具体的には、以下の通りである。ノーマルＣＰであり且つ特殊サブフレーム配置１、２、６、７のうちの１つが採用される場合、前記一部シンボル対は、第６のシンボルと第７のシンボルからなるシンボル対である。ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。拡張ＣＰであり且つ特殊サブフレーム配置１、２、３、５、６のうちの１つが採用される場合、前記一部シンボル対は、第５のシンボルと第６のシンボルからなるシンボル対であることが望ましい。
【０１１３】
前記特殊サブフレームのＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットであることが望ましい。
【０１１４】
ノーマルＣＰであり且つ特殊サブフレーム配置１、２、６、７のうちの１つが採用される場合、前記特定シンボルは、特殊サブフレームの第５のシンボルと第６のシンボルである。ノーマルＣＰであり且つ特殊サブフレーム配置２、７のうちの１つが採用される場合、前記特定シンボルは、特殊サブフレームの２対のシンボルである。２対のシンボルは、第４のシンボルと第６のシンボル、及び、第７のシンボルと第１０のシンボルである。ノーマルＣＰであり且つ特殊サブフレーム配置３、４、８のうちの１つが採用される場合、前記特定シンボルは、特殊サブフレームの２対のシンボルである。２対のシンボルは、第６のシンボルと第７のシンボル、及び、第１０のシンボルと第１１のシンボルである。ノーマルＣＰであり且つ特殊サブフレーム配置９が採用される場合、前記特定シンボルは、特殊サブフレームの１対のシンボルである。１対のシンボルは、第４のシンボルと第６のシンボルであることが望ましい。
【０１１５】
当該方法は、前記ネットワーク側機器が、特殊サブフレームのＣＳＩ‐ＲＳパイロットリソースマッピングパターンから１種のＣＳＩ‐ＲＳパイロットリソース配置を選択した後に、前記ネットワーク側機器が、特殊サブフレームでＣＳＩ‐ＲＳのパイロットリソース配置情報を伝送することを前記ユーザ機器に通知することを更に含むことが望ましい。
【０１１６】
同一の発明思想に基づき、本発明の実施例は、ＣＳＩ‐ＲＳ伝送方法も提供する。当該方法は、対応する機器が本発明の実施例のＣＳＩ‐ＲＳ伝送システムにおけるユーザ機器であり、当該方法により問題を解決する原理が当該機器と類似する。従って、当該方法の実施は、システムの実施が参照され、ここで重複して説明しない。
【０１１７】
図１３に示すように、本発明の実施例１３のＣＳＩ‐ＲＳ伝送方法は、ユーザ機器が、ネットワーク側機器から特殊サブフレームで伝送するＣＳＩ‐ＲＳのパイロットリソース配置情報を受信するステップ１３０１、前記ユーザ機器が、前記受信したＣＳＩ‐ＲＳのパイロットリソース配置情報から確定したＲＥリソースでＣＳＩ‐ＲＳを受信するステップ１３０２を含む。
【０１１８】
前記ＣＳＩ‐ＲＳのパイロットリソース配置は、特殊サブフレームのＣＳＩ‐ＲＳパイロットリソースマッピングパターンから選択したリソース配置であることが望ましい。
【０１１９】
前記特殊サブフレームのＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳパイロットリソースマッピングパターンを含むことが望ましい。
【０１２０】
前記３ＧＰＰ  ＴＳ  ３６．２１１  リリース１１に規定されるＣＳＩ‐ＲＳパイロットリソースマッピングパターンであって特殊サブフレームで伝送可能な一部パイロットリソースマッピングパターンは、３ＧＰＰ  ＴＳ  ３６．２１１  リリース１１に規定されるＣＳＩ‐ＲＳパイロットリソースマッピングパターンであって一部シンボル対に対応するパターンを含むことが望ましい。
【０１２１】
前記一部シンボル対は、具体的には、以下の通りである。ノーマルＣＰであり且つ特殊サブフレーム配置１、２、６、７のうちの１つが採用される場合、前記一部シンボル対は、第６のシンボルと第７のシンボルからなるシンボル対である。ノーマルＣＰであり且つ特殊サブフレーム配置３、４、８のうちの１つが採用される場合、前記一部シンボル対は、第６のシンボルと第７のシンボルからなるシンボル対、及び、第１０のシンボルと第１１のシンボルからなるシンボル対である。拡張ＣＰであり且つ特殊サブフレーム配置１、２、３、５、６のうちの１つが採用される場合、前記一部シンボル対は、第５のシンボルと第６のシンボルからなるシンボル対であることが望ましい。
【０１２２】
前記特殊サブフレームのＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含む。ここで、前記特定シンボルは、ＰＤＣＣＨ、ＰＳＳ及びＣＲＳが占用するシンボル以外の他シンボルである。下りユーザ専用パイロットは、３ＧＰＰ  ＴＳ  ３６．２１１  リリース１１に規定される下りユーザ専用パイロットであることが望ましい。
【０１２３】
ノーマルＣＰであり且つ特殊サブフレーム配置１、２、６、７のうちの１つが採用される場合、前記特定シンボルは、特殊サブフレームの第５のシンボルと第６のシンボルである。ノーマルＣＰであり且つ特殊サブフレーム配置２、７のうちの１つが採用される場合、前記特定シンボルは、特殊サブフレームの２対のシンボルである。２対のシンボルは、第４のシンボルと第６のシンボル、及び、第７のシンボルと第１０のシンボルである。ノーマルＣＰであり且つ特殊サブフレーム配置３、４、８のうちの１つが採用される場合、前記特定シンボルは、特殊サブフレームの２対のシンボルである。２対のシンボルは、第６のシンボルと第７のシンボル、及び、第１０のシンボルと第１１のシンボルである。ノーマルＣＰであり且つ特殊サブフレーム配置９が採用される場合、前記特定シンボルは、特殊サブフレームの１対のシンボルである。１対のシンボルは、第４のシンボルと第６のシンボルであることが望ましい。
【０１２４】
以上の内容から、本発明の実施例のネットワーク側機器は、ＣＳＩ‐ＲＳをキャリアするＲＥとして、特殊サブフレームのＣＳＩ‐ＲＳパイロットリソースマッピングパターンから、１種のＣＳＩ‐ＲＳパイロットリソース配置に対応するリソースユニットＲＥを選択し、確定したＲＥで前記ＣＳＩ‐ＲＳを送信する。本発明の実施例は、特殊サブフレームでＣＳＩ‐ＲＳを伝送するため、特殊サブフレームにチャネルＣＳＩ‐ＲＳパイロットパターンを増加することにより、ＴＤＤの発見信号バースト中、発見信号であるＣＳＩ‐ＲＳの配置数を増加し、更にシステム性能を向上させることができる。
【０１２５】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
2017526290.tif 000004
【図２】
2017526290.tif 000005
【図３】
2017526290.tif 000006
【図４】
2017526290.tif 000007
【図５】
2017526290.tif 000008
【図６】
2017526290.tif 000009
【図７】
2017526290.tif 000010
【図８】
2017526290.tif 000011
【図９】
2017526290.tif 000012
【図１０】
2017526290.tif 000013
【図１１】
2017526290.tif 000014
【図１２】
2017526290.tif 000015
【図１３】
2017526290.tif 000016
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
ネットワーク側機器が、特殊サブフレームでユーザ機器にＣＳＩ‐ＲＳを送信することを確定することと、
前記ネットワーク側機器が、ＣＳＩ‐ＲＳをキャリアするＲＥとして、特殊サブフレーム中のＣＳＩ‐ＲＳパイロットリソースマッピングパターンから、１種のＣＳＩ‐ＲＳパイロットリソース配置に対応するリソースユニットＲＥを選択することと、
前記ネットワーク側機器が、確定したＲＥで前記ＣＳＩ‐ＲＳを送信することと
を含むことを特徴とするＣＳＩ‐ＲＳ伝送方法。
【請求項２】
前記特殊サブフレーム中のＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことを特徴とする請求項１に記載のＣＳＩ‐ＲＳ伝送方法。
【請求項３】
前記３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンは、３ＧＰＰ  ＴＳ  ３６．２１１  リリース１１に規定されるＣＳＩ‐ＲＳパイロットリソースマッピングパターンであって、一部シンボル対に対応するパターンを含むことを特徴とする請求項２に記載のＣＳＩ‐ＲＳ伝送方法。
【請求項４】
前記一部シンボル対は、
ノーマルＣＰであり、且つ特殊サブフレーム配置１、２、６、７のうちの１つが採用される場合、第６のシンボルと第７のシンボルからなるシンボル対であり、
ノーマルＣＰであり、且つ特殊サブフレーム配置３、４、８のうちの１つが採用される場合、第６のシンボルと第７のシンボルからなるシンボル対、及び、第１０のシンボルと第１１のシンボルからなるシンボル対であり、
拡張ＣＰであり、且つ特殊サブフレーム配置１、２、３、５、６のうちの１つが採用される場合、第５のシンボルと第６のシンボルからなるシンボル対であることを特徴とする請求項３に記載のＣＳＩ‐ＲＳ伝送方法。
【請求項５】
前記特殊サブフレーム中のＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含み、
前記特定シンボルは、ＰＤＣＣＨ、ＰＳＳ及びＣＲＳが占用するシンボル以外の他シンボルであり、
下りユーザ専用パイロットは、３ＧＰＰ  ＴＳ  ３６．２１１  リリース１１に規定される下りユーザ専用パイロットであることを特徴とする請求項１に記載のＣＳＩ‐ＲＳ伝送方法。
【請求項６】
前記特定シンボルは、
ノーマルＣＰであり、且つ特殊サブフレーム配置１、２、６、７のうちの１つが採用される場合、特殊サブフレーム中の第５のシンボルと第６のシンボルであり、
ノーマルＣＰであり、且つ特殊サブフレーム配置２、７のうちの１つが採用される場合、特殊サブフレーム中の２対のシンボルであり、２対のシンボルは、第４のシンボルと第６のシンボル、及び、第７のシンボルと第１０のシンボルであり、
ノーマルＣＰであり、且つ特殊サブフレーム配置３、４、８のうちの１つが採用される場合、特殊サブフレーム中の２対のシンボルであり、２対のシンボルは、第６のシンボルと第７のシンボル、及び、第１０のシンボルと第１１のシンボルであり、
ノーマルＣＰであり、且つ特殊サブフレーム配置９が採用される場合、特殊サブフレーム中の１対のシンボルであり、１対のシンボルは、第４のシンボルと第６のシンボルであることを特徴とする請求項５に記載のＣＳＩ‐ＲＳ伝送方法。
【請求項７】
前記ネットワーク側機器は、特殊サブフレーム中のＣＳＩ‐ＲＳパイロットリソースマッピングパターンから１種のＣＳＩ‐ＲＳパイロットリソース配置を選択した後に、特殊サブフレームでＣＳＩ‐ＲＳパイロットリソースの配置情報を伝送することを前記ユーザ機器に通知することを更に含むことを特徴とする請求項１〜６のいずれか一項に記載のＣＳＩ‐ＲＳ伝送方法。
【請求項８】
ユーザ機器が、ネットワーク側機器から特殊サブフレームで伝送するＣＳＩ‐ＲＳのパイロットリソース配置情報を受信することと、
前記ユーザ機器が、前記受信したＣＳＩ‐ＲＳのパイロットリソース配置情報から確定したＲＥリソースでＣＳＩ‐ＲＳを受信することとを含むことを特徴とするＣＳＩ‐ＲＳ伝送方法。
【請求項９】
前記ＣＳＩ‐ＲＳのパイロットリソース配置は、特殊サブフレームのＣＳＩ‐ＲＳパイロットリソースマッピングパターンから選択したリソース配置であることを特徴とする請求項８に記載のＣＳＩ‐ＲＳ伝送方法。
【請求項１０】
前記特殊サブフレーム中のＣＳＩ‐ＲＳパイロットリソースマッピングパターンは、３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンに含まれる全てのＲＥのうち、３ＧＰＰ  ＴＳ  ３６．２１１  リリース１１に規定される下りユーザ専用パイロットをキャリアするＲＥ以外の他ＲＥの一部又は全てから構成されるＣＳＩ‐ＲＳのパイロットリソースマッピングパターンを含むことを特徴とする請求項９に記載のＣＳＩ‐ＲＳ伝送方法。
【請求項１１】
前記３ＧＰＰ  ＴＳ  ３６．２１１  リリース１１に規定されるＣＳＩ‐ＲＳパイロットリソースマッピングパターンであって、特殊サブフレームで伝送可能な一部のパイロットリソースマッピングパターンは、３ＧＰＰ  ＴＳ  ３６．２１１  リリース１１に規定されるＣＳＩ‐ＲＳパイロットリソースマッピングパターンであって、一部シンボル対に対応するパターンを含むことを特徴とする請求項１０に記載のＣＳＩ‐ＲＳ伝送方法。
【請求項１２】
前記一部シンボル対は、
ノーマルＣＰであり、且つ特殊サブフレーム配置１、２、６、７のうちの１つが採用される場合、第６のシンボルと第７のシンボルからなるシンボル対であり、
ノーマルＣＰであり、且つ特殊サブフレーム配置３、４、８のうちの１つが採用される場合、第６のシンボルと第７のシンボルからなるシンボル対、及び、第１０のシンボルと第１１のシンボルからなるシンボル対であり、
拡張ＣＰであり、且つ特殊サブフレーム配置１、２、３、５、６のうちの１つが採用される場合、第５のシンボルと第６のシンボルからなるシンボル対であることを特徴とする請求項１１に記載のＣＳＩ‐ＲＳ伝送方法。
【請求項１３】
前記特殊サブフレーム中のＣＳＩ‐ＲＳパイロットリソースマッピングパターンは、前記特殊サブフレームの特定シンボルのうち下りユーザ専用パイロットをキャリアするＲＥ以外の他ＲＥの一部又は全てから構成されるＣＳＩ‐ＲＳパイロットリソース伝送パターンを含み、
前記特定シンボルは、ＰＤＣＣＨ、ＰＳＳ及びＣＲＳが占用するシンボル以外の他シンボルであり、
下りユーザ専用パイロットは、３ＧＰＰ  ＴＳ  ３６．２１１  リリース１１に規定される下りユーザ専用パイロットであることを特徴とする請求項９に記載のＣＳＩ‐ＲＳ伝送方法。
【請求項１４】
前記特定シンボルは、
ノーマルＣＰであり、且つ特殊サブフレーム配置１、２、６、７のうちの１つが採用される場合、特殊サブフレーム中の第５のシンボルと第６のシンボルであり、
ノーマルＣＰであり、且つ特殊サブフレーム配置２、７のうちの１つが採用される場合、特殊サブフレーム中の２対のシンボルであり、２対のシンボルは、第４のシンボルと第６のシンボル、及び、第７のシンボルと第１０のシンボルであり、
ノーマルＣＰであり、且つ特殊サブフレーム配置３、４、８のうちの１つが採用される場合、特殊サブフレーム中の２対のシンボルであり、２対のシンボルは、第６のシンボルと第７のシンボル、及び、第１０のシンボルと第１１のシンボルであり、
ノーマルＣＰであり、且つ特殊サブフレーム配置９が採用される場合、特殊サブフレーム中の１対のシンボルであり、１対のシンボルは、第４のシンボルと第６のシンボルであることを特徴とする請求項１３に記載のＣＳＩ‐ＲＳ伝送方法。
【請求項１５】
特殊サブフレームでユーザ機器にＣＳＩ‐ＲＳを送信することを確定する確定モジュールと、
ＣＳＩ‐ＲＳをキャリアするＲＥとして、特殊サブフレーム中のＣＳＩ‐ＲＳパイロットリソースマッピングパターンから、１種のＣＳＩ‐ＲＳパイロットリソース配置に対応するリソースユニットＲＥを選択する選択モジュールと、
確定したＲＥで前記ＣＳＩ‐ＲＳを送信する送信モジュールと
を含むことを特徴とするＣＳＩ‐ＲＳ伝送用のネットワーク側機器。
【請求項１６】
ネットワーク側機器から特殊サブフレームで伝送するＣＳＩ‐ＲＳのパイロットリソース配置情報を受信する受信モジュールと、
前記受信したＣＳＩ‐ＲＳのパイロットリソース配置情報から確定したＲＥリソースでＣＳＩ‐ＲＳを受信する処理モジュールと
を含むことを特徴とするＣＳＩ‐ＲＳ伝送用のユーザ機器。
【国際調査報告】
2017526290.tif 000017
2017526290.tif 000018
2017526290.tif 000019
2017526290.tif 000020